(57)【要約】【課題】遊技施設内のタバコの煙等を含んだ汚れた空気、遊技機から発生する熱により暖められた空気等を効率よく外部に排出する。【解決手段】排気ダクト装置２０は、遊技機設置島構造に並んで配設されたパチンコ機ＰＭの上方に左右に延びるとともにパチンコ機の前面より前方に突出して設けられ、内部に左右に延びるメイン排気空間２１ｄが形成されたダクト部２１と、ダクト部の下面２１ｃが前方に向かって斜め上方に伸びるテーパ面から形成されており、テーパ面からなる下面２１ｃの前部にダクト部に一体に繋がるとともに下方に突出して設けられ、内部にメイン排気空間に連通するサブ排気空間２３ａが形成された突起部２３と、突起部の背面側に外部に開口して設けられた吸気開口２５ａを有する吸気部２４とを備える。【選択図】図４
2007289473.tif 000002
【特許請求の範囲】
【請求項１】
複数の遊技機を左右に列状に並んで立設保持する遊技機設置島構造を有する遊技施設において、各遊技機の上方に配設されて遊技機前面側に沿って上昇する空気を吸気して外部に排出するために用いられる遊技施設排気設備用の排気ダクト装置であって、
前記遊技機設置島構造における遊技機配置部の上部に左右に延びるとともに前記遊技機の前面より前方に突出して設けられ、内部に左右に延びるメイン排気空間が形成されたダクト部と、
前記ダクト部の下面が前方に向かって斜め上方に伸びるテーパ面から形成されており、前記テーパ面の前部に前記ダクト部に一体に繋がるとともに下方に突出して設けられ、内部に前記メイン排気空間に連通するサブ排気空間が形成された突起部と、
前記突起部の背面側に外部に開口して設けられた吸気開口を有する吸気部と
を備えて構成されることを特徴とする排気ダクト装置。
【請求項２】
前記突起部の背面側における前記吸気部より上側に照明具が取り付けられ、前記テーパ面が前記照明具からの照明光を反射して遊技機前面に間接照明光を照射させるように構成されたこと特徴とする請求項１に記載の排気ダクト装置。
【請求項３】
前記突起部の背面における前記吸気部と前記照明具との間に、前記照明具からの照射光を反射する反射板が設けられていることを特徴とする請求項２に記載の排気ダクト装置。
【請求項４】
前記吸気開口を部分的に塞ぐキャップを前記吸気部に着脱可能であることを特徴とする請求項１〜３のいずれかに記載の排気ダクト装置。
【請求項５】
前記遊技機がパチンコ機であり、前記キャップにキャップ開口が形成されており、前記キャップ開口が前記遊技球が通過できないサイズに設定されていることを特徴とする請求項４に記載の排気ダクト装置。
【請求項６】
前記遊技機がパチンコ機であり、前記吸気開口が左右に延びるスリット状に形成されており、スリット状開口の開口幅が遊技球の径より小さいことを特徴とする請求項１〜５のいずれかに記載の排気ダクト装置。
【請求項７】
複数の遊技機を左右に列状に並んで立設保持する遊技機設置島構造と、
前記列状に並んで立設保持された前記遊技機のそれぞれの上方に位置して且つ隣り合って前記遊技機設置島構造の上部に前方に突出して取り付けられ、隣り合う前記メイン排気空間および前記サブ排気空間同士を連通させて取り付けられた請求項１〜４に記載の排気ダクト装置と、
前記遊技機設置島構造の左右方向端部に上下に延びて設けられ、左右方向端部に位置する前記排気ダクト装置の前記メイン排気空間および前記サブ排気空間と連通して設けられた第１排気通路と、
遊技施設の床面下部もしくは天井裏を延びて設けられ、一端側が前記第１排気通路に繋がるとともに他端側が外部に開放された第２排気通路と、
前記第２排気通路中に設けられ、前記第２排気通路内の空気を前記他端側から外部に排気させる排気ファンと
を備えて構成される遊技施設排気設備。
【請求項８】
前記遊技機設置島構造に、立設保持された前記遊技機それぞれに対応して灰皿が設けられ、前記灰皿内の灰、吸い殻を落下させて左右方向端部に搬送して回収処理する吸い殻回収装置が設けられており、
前記吸い殻回収装置の搬送空間が前記第１排気通路と連通されていることを特徴とする請求項７に記載の遊技施設排気設備。
【発明の詳細な説明】
【技術分野】
【０００１】
本発明は、パチンコ機、スロットマシン等に代表される遊技機を多数配設して遊技に供する遊技施設において、タバコの煙、機械内部から発生する熱等を外部に排出して施設内空間を清浄に保つ遊技施設排気設備に関し、さらに、この設備を構成するために用いられる排気ダクト装置に関する。
【背景技術】
【０００２】
パチンコ機、スロットマシン等の遊技機を有した遊技施設は日本国内に多数あるが、これら遊技施設においては複数の遊技機を左右に列状に並んで立設保持する遊技機設置島もしくは遊技島と称される構造が設けられている。遊技機設置島構造は、施設内に背中合わせに二列に並んで遊技機を立設保持する構成と、施設の壁際において壁に背を向けるようにして遊技機を一列に並んで立設保持する構成とを有し、複数列の島構造を有して遊技施設が構成されるものが一般的に採用されている。このような遊技施設においては、遊技機設置島に並んで立設保持された各遊技機の前に遊技者が座る椅子が設置され、遊技者はこの椅子に座ってパチンコ等の遊技を楽しむようになっている。
【０００３】
このような遊技施設を有した遊技店へ来場する遊技者は喫煙者と非喫煙者とが混在しており、遊技者は区画されていない遊技施設内で好みの遊技機を選択して遊技を行う。このため、喫煙しながら遊技を行う遊技者の隣で非喫煙者が遊技をするということとなり、非喫煙者の受動喫煙の問題が生じる。近年では非喫煙者が増加する傾向にあり、受動喫煙の問題だけでなく、非喫煙者はタバコの煙、においを嫌う傾向があることから、非喫煙者の遊技店への来店意欲を減少させていることが調査結果からも明らかになってきており、遊技施設内におけるタバコの煙を効率よく排気して清浄な環境下で快適な遊技を行えるようにすることが求められている。
【０００４】
このような背景の下、近年においては遊技機の上方に吸排気や、空気清浄機能を備えた換気システムが開発・設置されている。例えば、特許文献１には、遊技島における各遊技機の上方に設けた空気吸い込み口からタバコの煙等を含んだ空気を吸引して外部に排出し、一方各遊技機の下方足下近くに設けた排気口から新鮮な排気を吹き出す構成の空気清浄装置が開示されている。また、特許文献２には、遊技島における各遊技機の上方に位置する幕板に、吸入口側にオゾン発生装置を設け且つ排出口側にオゾン吸収分解装置を設けてなる空気清浄器を設けた構成が開示されている。さらに、特許文献３には、吸気口から排気口に至る空気流を形成する吸引手段と、吸引空気を浄化するフィルタとを一体化してケースに納め、これを遊技島の枠体に取り付けた構成が開示されている。
【０００５】
【特許文献１】特許第２６５４８４２号公報
【特許文献１】特許第２７４２７３４号公報
【特許文献１】特許第２７５４３５９号公報
【発明の開示】
【発明が解決しようとする課題】
【０００６】
ところで、特許文献１に開示の構成では、遊技島における各遊技機の上方に空気吸い込み口を設け、遊技機の下方に新鮮な空気を吹き出す排気口を設けただけであるため、遊技者の喫煙により発生するタバコの煙等を含んだ空気を効率よく排出することが難しいという問題がある。また、遊技施設には外気温に影響されずに内部温度を所望温度に保つ空調設備が設けられるが、遊技施設内の空気を排出して外気を導入する構成であるため、空調効率が低下し、これを補うことができるように大きな能力の空調設備が必要とされ、空調設備費および維持費が高くなるという問題がある。
【０００７】
特許文献２のようにオゾン発生装置およびオゾン吸収分解装置を設ける構成や、特許文献３のようなフィルタを設ける構成では、施設内の空気を浄化して施設内に戻す構成であるため、空調設備に対する影響は少ない。しかしながら、装置内部に吸入されたタバコの煙から発生するヤニが装置内部に付着するため、定期的な清掃作業が必要であり、清掃に多大な手間がかかるという問題がある。特に、遊技施設内には多数の遊技機が並んで配設されており、これらそれぞれに設けられた装置の内部を定期的に清掃するための工数、コストは多大なもとのなるという問題がある。
【０００８】
なお、遊技島の各遊技機の上方等に吸排気口を設ける場合に、遊技島の美感を損ねやすいという問題や、吸排気口に遊技球を投入するという悪戯により機能が損なわれる可能性があるという問題もある。大型の空気清浄機を遊技機もしくは遊技島から離れた場所に設置することも考えられるが、これにより遊技施設内全体の空気を緩やかに浄化できても、隣り合って遊技する遊技者の受動喫煙を防止するという効果はあまり期待できないという問題がある。
【０００９】
本発明はこのような問題に鑑み、遊技施設内のタバコの煙等を含んだ汚れた空気、遊技機から発生する熱により暖められた空気等を効率よく外部に排出することができ、且つ、タバコの煙により発生して付着したヤニ等の清掃を簡単に行うことができるような構成の排気ダクト装置およびこれを用いた遊技施設排気設備を提供することを目的とする。
【課題を解決するための手段】
【００１０】
本発明に係る排気ダクト装置は、複数の遊技機（例えば、実施形態におけるパチンコ機ＰＭ）を左右に列状に並んで立設保持する遊技機設置島構造（例えば、実施形態における遊技機設置島ＳＳ１，ＳＳ２）を有する遊技施設において、各遊技機の上方に配設されて遊技機前面側に沿って上昇する空気を吸気して外部に排出するために用いられるものであり、前記遊技機設置島構造における遊技機配置部の上部に左右に延びるとともに前記遊技機の前面より前方に突出して設けられ、内部に左右に延びるメイン排気空間が形成されたダクト部と、前記ダクト部の下面が前方に向かって斜め上方に伸びるテーパ面（例えば、実施形態における斜面板部２１ｃ）から形成されており、前記テーパ面の前部に前記ダクト部に一体に繋がるとともに下方に突出して設けられ、内部に前記メイン排気空間に連通するサブ排気空間が形成された突起部と、前記突起部の背面側に外部に開口して設けられた吸気開口を有する吸気部とを備えて構成される。
【００１１】
この排気ダクト装置において、前記突起部の背面側における前記吸気部より上側に照明具（例えば、実施形態における蛍光灯２７）が取り付けられ、前記テーパ面が前記照明具からの照明光を反射して遊技機前面に間接照明光を照射させるように構成するのが好ましい。
【００１２】
さらに、前記突起部の背面における前記吸気部と前記照明具との間に、前記照明具からの照射光を反射する反射板が設けられているのが好ましい。
【００１３】
上記排気ダクト装置において、前記吸気開口を部分的に塞ぐキャップを前記吸気部に着脱可能であることが好ましい。
【００１４】
なお、前記遊技機がパチンコ機である場合に、前記キャップにキャップ開口が形成されており、前記キャップ開口が前記遊技球が通過できないサイズに設定されているのが好ましい。
【００１５】
さらに、前記遊技機がパチンコ機である場合に、前記吸気開口が左右に延びるスリット状に形成されており、スリット状開口の開口幅が遊技球の径より小さい構成とすることが好ましい。
【００１６】
本発明に係る遊技施設排気設備は、複数の遊技機を左右に列状に並んで立設保持する遊技機設置島構造と、前記列状に並んで立設保持された前記遊技機のそれぞれの上方に位置して且つ隣り合って前記遊技機設置島構造の上部に前方に突出して取り付けられ、隣り合う前記メイン排気空間および前記サブ排気空間同士を連通させて取り付けられた上述の構成の排気ダクト装置と、前記遊技機設置島構造の左右方向端部に上下に延びて設けられ、左右方向端部に位置する前記排気ダクト装置の前記メイン排気空間および前記サブ排気空間と連通して設けられた第１排気通路（例えば、実施形態における第１排気パイプ１１の内部空間）と、遊技施設の床面下部もしくは天井裏を延びて設けられ、一端側が前記第１排気通路に繋がるとともに他端側が外部に開放された第２排気通路（例えば、実施形態における第２排気パイプ１５の内部空間）と、前記第２排気通路中に設けられ、前記第２排気通路内の空気を前記他端側から外部に排気させる排気ファンとを備えて構成される。
【００１７】
この遊技施設排気設備において、前記遊技機設置島構造に、立設保持された前記遊技機それぞれに対応して灰皿が設けられ、前記灰皿内の灰、吸い殻を落下させて左右方向端部に搬送して回収処理する吸い殻回収装置が設けられており、前記吸い殻回収装置の搬送空間が前記第１排気通路と連通されているのが好ましい。
【発明の効果】
【００１８】
上記のように構成された本発明に係る排気ダクト装置は、遊技機設置島構造に立設保持された各遊技機の上方に配設され、遊技機の前面から前方に突出するダクト部の下面が前方に向かって斜め上方に伸びるテーパ面から形成されるとともにこのテーパ面の前部に下方に突出して突起部が形成されて庇状となり、この突起部の背面側下部に吸気開口を有する吸気部が設けられているので、遊技機の前の椅子に座って遊技する遊技者が喫煙して発生する煙や、遊技機から発生する熱で暖められた空気は遊技機の前面側を上昇し、ダクト部および突起部により庇状となった部分に受け止められ、吸気開口内に導入させることができる。このため、メイン排気空間およびサブ排気空間内の空気を外部に排出する構成とすれば、上記タバコの煙および加熱空気を吸気開口からメインおよびサブ排気空間内に効率よく導入して排気することができる。
【００１９】
本発明の排気ダクト装置は、遊技機設置島構造における各遊技機の上方に配設された状態において突起部の前面が前方に露出して遊技者が視認可能であるが、その背面側は見えにくい構造であるので、この突起部の前面を遊技島構造と調和する形状および色彩とすることにより、排気ダクト装置を遊技機設置島構造に一体化した外観として美感を維持することが容易である。また、タバコの煙を吸気開口からメインおよびサブ排気空間内に導入する構成であるので、タバコの煙に含有されるヤニは吸気部に最も付着しやすく、吸気開口を清掃するだけでよいため、清掃が簡単である。
【００２０】
この排気ダクト装置において、突起部の背面側における吸気部より上側に照明具を取り付けると、この照明具は突起部により前面側から遮蔽されて遊技者からは見えない場所に位置し、その照明光はテーパ面により反射されて遊技機前面に間接照明光が照射されることとなり、柔らかな照明光により遊技機前面を照明することができる。遊技機には液晶表示装置が設けられることが多いが、間接照明光の故に液晶表示画面に照射された照明光の反射光が遊技者の眼に入って画面が見にくくなるようなことが少なく、液晶表示画面が見やすくなる。また、遊技機の前面を上昇するタバコの煙を間接照明により視認させて吸気効果を遊技者に視覚的に与えることができ、これにより喫煙者に対して迂回的に喫煙抑止効果を与えることができる。
【００２１】
なお、突起部の背面における吸気部と照明具との間に反射板を設けると、この間接照明の効果を高めることができる。
【００２２】
上記排気ダクト装置において、吸気開口を部分的に塞ぐキャップを吸気部に着脱可能とすることにより、各排気ダクト装置の吸気開口面積を適宜調整することができる。遊技機設置島に遊技機を左右に列状に並んで立設保持した状態で排気ダクト装置も一列に繋がり、左右方向端部に位置する排気ダクト装置のメインおよびサブ排気空間内の空気を吸引排気する場合、吸引力は端部側に近い程大きくなるが、キャップの大きさを調整することにより各吸気開口面積を調整して全ての排気ダクト装置における吸引力が等しくなるように設定すれば、全ての遊技機に対して等しい吸引排気を行って効率の良い排気を行うようにすることができる。
【００２３】
なお、縦型遊技機がパチンコ機である場合に、吸気開口をスリット状とするとともにその開口幅（スリット幅）を遊技球の径より小さい構成とすれば、遊技球を吸気開口から内部に投入するような悪戯を防止することができる。
【００２４】
一方、上記の構成の本発明に係る遊技施設排気設備は、遊技機設置島構造において列状に並んで立設保持された遊技機のそれぞれの上方に上記構成の排気ダクト装置を隣り合って取り付けて隣り合うメインおよびサブ排気空間同士を連通させ、第１排気通路をメインおよびサブ排気空間と連通させ、さらに第１排気通路を第２排気通路に連通させて構成されているので、排気ファンにより第２排気通路内の空気を外部に排気させることにより、第１排気通路を介してメインおよびサブ排気空間内の空気を排気させることができる。
【００２５】
この結果、遊技者が喫煙して発生する煙や、遊技機から発生する熱で暖められた空気が遊技機の前面側を上昇すると、排気ダクト装置におけるダクト部および突起部により庇状となった部分に受け止められて吸気開口内に効率よく吸引して導入され、メインおよびサブ排気空間、第１および第２排気通路を通って外部に排気することができる。また、このように煙の発生源に近いところにおいて、且つ煙および熱の流れの途中においてこれを集めるようにして吸気開口を設けているため、少ない吸気量で効果的に煙および熱を外部に排出でき、空調効率の低下を抑えることができる。これにより空調設備を大型化する必要がなく、空調費を低減することができる。
【００２６】
第２排気通路は遊技施設の床面下部もしくは天井裏を延びて設けられるため、遊技施設内の美感を損ねることがない。なお、天井裏に第２排気通路を設ける場合には、遊技機設置島の上端から天井に貫通して第１排気通路を形成する必要があり、この部分において第１排気通路が露出する可能性があるが、床面下部に第２排気通路を配設した場合、遊技機設置島から第１排気通路を直接床面下部に貫通して延ばすことがでるので、美観の観点からは床面下部に配設する方が好ましいといえる。さらに、第２排気通路を配設するための空間や、第２排気通路内空間を電気配線の配設空間として利用すれば、電気配線が遊技施設内に露出することがなく、空間の有効利用が図れるとともに施設内の美感を損ねることがない。
【００２７】
この遊技施設排気設備において、遊技機設置島構造の各遊技機の前に設けられた灰皿の灰、吸い殻を落下させて左右方向端部に搬送して回収処理する吸い殻回収装置が設けられる場合に、この吸い殻回収装置の搬送空間を第１排気通路と連通することにより、搬送空間内の煙、においを吸引排気できるだけでなく、灰皿においたタバコからの煙を搬送空間内に吸引して排気することもできる。
【発明を実施するための最良の形態】
【００２８】
以下、図面を参照して本発明の好ましい実施形態について説明する。本発明の実施形態に係る遊技施設排気設備を備えたパチンコ遊技施設における遊技機設置島構造の一例を図１および図２に示している。この遊技施設（遊技ホール）内においては、列状に並んで多数のパチンコ機ＰＭを配設保持した遊技機設置島ＳＳ１，ＳＳ２が複数設けられている。この遊技機設置島としては、パチンコ機ＰＭを背中合わせに二列に並んで整列配置する両列島形式ＳＳ２と、壁に背を向けるように一列に並んで配置する壁島形式ＳＳ１とがあるが、図１には両列島形式の遊技機設置島構造ＳＳ２を示している。但し、背面側の遊技機列は図には表れていない。なお、本発明は両列島形式および壁島形式に限られず、その他の遊技機設置島構造にも適用可能である。
【００２９】
この遊技機設置島構造の概略断面構造を図３に示しており、この島構造は遊技施設の床１の上に設けられ、床面側から上方に向かって順に、巾木２、腰板３、灰皿５１が設けられた天板４、パチンコ機ＰＭを配設保持した保持枠５、呼び出しランプ６ａを有したランプ板６、空の球箱を置くための空間を形成する球箱載置台７、島幕板８および排気ダクト装置２０からなる一対の構造を背中合わせに有して構成され、上端面にカバー板９が左右の構造を連結して設けられている。これら背中合わせとなった構造の間の空間には、図示しない遊技機に遊技球を供給する球供給装置、遊技機から排出される遊技済み球を回収する球回収装置、配線類等が配設されている。なお、図１に示すように、各パチンコ機ＰＭの前方に位置して床１に遊技者が座るための椅子ＣＨが設けられる。
【００３０】
遊技者は椅子に座って自分の前のパチンコ機を用いて遊技を行う。この遊技者が喫煙者である場合、遊技中に遊技者が喫煙して生じた煙はパチンコ機ＰＭの前面側に沿って上昇するが、排気ダクト装置２０は前方に突出して設けられているため、排気ダクト装置２０においてタバコの煙を含んだ空気が吸気されて外部に排気されるようになっている。また、パチンコ機ＰＭから発生する熱により暖められたパチンコ機ＰＭの前面の空気も前面側に沿って上昇して排気ダクト装置２０において吸気されて外部に排気されるようになっている。この排気ダクト装置２０の構成を図４および図５を参照して説明する。
【００３１】
排気ダクト装置２０は、遊技機設置島に左右に一列に並んで配置されたパチンコ機ＰＭの配設ピッチと同一の左右方向寸法を有し、左右端部が開口した中空のダクト状の部材から構成されており、内部に断面形状が直角三角形状のメイン排気空間２１ｄと、断面形状が下方に突出する三角形状のサブ排気空間２３ａとが形成されている。具体的には、排気ダクト装置２０は金属板材を折り曲げ成型して作られており、メイン排気空間２１ｄを形成する後面板部２１ａ、上面板部２１ｂ、斜面板部２１ｃからなるダクト部２１と、サブ排気空間２３ａを形成する前面板部２３ａおよび背面板部２６からなる突起部２３とを有する。
【００３２】
突起部２３の前面板部２３ａは上面板部２１ｂの前端から直角に折れ曲がって垂直下方に延びて形成され、前面板部２３ａの下端部において折り返されて背面板部２６が形成され、背面板部２６は斜め上後方に延びて斜面板部２１ｃと一体に繋がる構成を有している。この結果、背面板部２６と斜面板部２１ｃとにより上方に凹んだ庇状の空間が形成され、この庇状空間部において、上述したようにパチンコ機ＰＭの前面に沿って上昇する煙および熱を含んだ空気を受容する。
【００３３】
このように、ダクト部２１は直交する二辺が上面および後面を形成するとともに斜辺が幕板８の上端から前方に向かって斜め上方に延びるテーパ面となる断面直角三角形状で左右に延びた構成となり、突起部２３は、ダクト部２１の斜辺を形成する斜面板部２１ｃの前端部から下方に突出する構成となる。これらダクト部２１および突起部２３は一枚の板材の曲げ加工により作られており、メイン排気空間２１ｄとサブ排気空間２３ａは一つに繋がった空間を形成している。なお、ダクト部２１の左右端部は内方に折り返されて枠状のフレーム２２が形成されている。
【００３４】
突起部２３の背面板部２６には、内方に折り曲げられた折り曲げ部２５ｂ，２５ｃの間に外部に開口する左右に延びるスリット状の吸気開口２５ａが形成されてなる吸気部２４が設けられている。この吸気開口２５ａは外気をサブ排気空間２３ａ内に吸引するための開口であり、この開口の２５ａのスリット幅（折り曲げ部２５ｂ，２５ｃの間隔寸法）は、パチンコ機の遊技に使用される遊技球の直径より小さく設定されており、遊技者が遊技球を吸気開口２５ａからサブ排気空間２３ａ内に投入するような悪戯を確実に防止できるようになっている。
【００３５】
また、吸気開口２５ａには、その左右方向の大きさ（開口面積）を調整するためのキャップ２９が着脱可能となっている。キャップ２９は、蓋部２９ａと、蓋部２９ａの内面から突出した二本の脚部２９ｂ，２９ｂとから構成されており、脚部２９ｂの先端外面に係止突起２９ｃが形成されている。このキャップ２９は、脚部２９ｂ，２９ｂを撓ませながら吸気開口２５ａ内に圧入して係止突起２９ｃ，２９ｃを折り曲げ部２５ｂ，２５ｃより内方側に突出させて係止保持される。なお、係止保持状態でキャップ２９を外側に引っ張ると脚部２９ｂが内方に撓んで係止突起２９ｃが吸気開口２５ａ内に入り込むので、そのまま引き出してキャップ２９を取り外すことができる。キャップ２９は幅方向寸法（スリットの延びる方向の寸法）が何種類か設定されて作られており、排気ダクト装置２０の位置に応じて適切な幅のキャップ２９を選択して取り付け、吸気開口２５ａの開口面積を調整できる。
【００３６】
吸気部２４の上側において背面板部２６が円筒状に窪んだ凹部２６ａが形成されており、この凹部２６ａ内に位置して蛍光灯２７が照明手段として設けられている。凹部２６ａとこれに繋がる斜面板部（テーパ面）２１ｃの表面は蛍光灯２７からの照明光を反射して下方に照射させる機能を有しており、これにより、蛍光灯２７からの照明光をパチンコ機ＰＭの前面側に向けて反射させ、間接照明を行うようになっている。この間接照明効率を高めるため、凹部２６ａに繋がって下方に延びる円筒面状の反射板２８が取り付けられている。なお、間接照明の効率を高めるため、凹部２６ａ、斜面板部２１ｃおよび反射板２８の表面に反射コーティング処理を施しても良い。
【００３７】
以上の構成の排気ダクト装置２０は、図１に示すように、遊技機設置島に保持された各パチンコ機ＰＭの上方に位置して、左右方向に繋がって配設されている。このように配設された状態では、遊技者からは下方から覗き込まない限り突起部２３の上面板部２１ｂが見えるだけであり、排気ダクト装置２０を設けて遊技機設置島の全体としての美感を損ねるおそれがない。また、このように左右に繋がって配設された状態で各排気ダクト装置２０のメインおよびサブ排気空間２１ｄ，２３ａは隣同士が繋がり、全体として左右に繋がって延びる排気空間が形成される。
【００３８】
また、遊技機設置島構造における天板４の下面には左右に延びる吸い殻回収装置５０が設けられている。図５に示すように、この吸い殻回収装置５０は、天板４の下面側に左右に延びる搬送空間５５ａを形成する搬送筐体５５が取り付けられ、搬送筐体５５内にスプロケット５３に掛け回された搬送ベルトコンベア５２を設けて構成される。搬送ベルトコンベア５２には突起５２ａが複数形成されており、スプロケット５３を回転駆動して矢印で示す方向に搬送駆動される。搬送筐体５５の左端部には下方に突出する吸い殻回収箱５４が形成されている。搬送筐体５５の上面は天板４から形成され、天板４に設けられた灰皿５１の下面は搬送筐体５５内の搬送空間５５ａに露出している。
【００３９】
灰皿５１の下部には穴があけられており、この穴から灰皿５１にたまった灰が搬送空間内５５ａに落下して搬送ベルトコンベア５２により搬送されて吸い殻回収箱５４内に溜められるようになっている。また、灰皿５１を回転させて内部に残った吸い殻を搬送空間５５ａ内に落下させ、搬送ベルトコンベア５２により搬送して吸い殻回収箱５４内に回収するようにもなっている。
【００４０】
以上の構成の遊技機設置島構造の端部には、図１に示すように端部壁１０が設けられるが、端部壁１０とこれに隣接して配置されたパチンコ機ＰＭ（最も端部に位置するパチンコ機）との間に所定幅の上下に延びる空間が形成されており、この空間内に上下に延びる前後一対の第１排気パイプ１１，１１が図６および図７に示すように配設されている。この第１排気パイプ１１，１１は、上端部が排気ダクト装置２０，２０と繋がっており、メインおよびサブ排気空間２１ｄ，２３ａが第１排気パイプ１１の内部空間と連通している。また、第１排気パイプ１１の内部空間は吸い殻回収装置５０の搬送空間５５と連結パイプ１２を介して連通している。
【００４１】
第１排気パイプ１１は床１を貫通して下方に延び、床１の下部に形成されている床下空間１ａ内に配設された第２排気パイプ１５と繋がっている。第２排気パイプ１５は床下空間１ａ内を延びて遊技施設の外部に延びており、その途中に排気ファン１６が設けられており、排気ファン１６により第２排気パイプ１５の内部の空気が外部に排出される。これにより、第１排気パイプ１１内の空気が吸引され、メインおよびサブ排気空間２１ｄ，２３ａ内の空気および搬送空間５５内の空気が吸引排気される。この結果、排気ダクト装置２０の下面側に流れて来た空気（上述したタバコの煙を含んだ空気や、パチンコ機からの発熱により加熱された空気）が吸気開口２５ａを通ってメインおよびサブ排気空間２１ｄ，２３ａ内に効率よく吸引され、第１および第２排気パイプ１１，１５を通って外部に排気される。
【００４２】
このように吸気開口２５ａを通って空気を吸引するときに、第１排気パイプ１１に近い方に配設された排気ダクト装置２０の吸気開口２５ａにおける吸引力が第１排気パイプ１１から離れた位置の排気ダクト装置２０の吸気開口２５ａにおける吸引力より大きくなり、このままでは排気効率にアンバランスが生じる。このため、上述のキャップ２９を取り付けて吸気開口２５ａの開口面積を適宜調整し、排気効率のバランスをとる。具体的には、第１排気パイプ１１に近い側の吸気開口２５ａの開口面積を小さくするようにキャップ２９が取り付けられる。
【００４３】
また、吸い殻回収装置５０の搬送空間５５内の空気も連結パイプ１２と第１および第２排気パイプ１１，１５を通って外部に排気される。これにより、灰皿５１の上においたタバコから出た煙を灰皿５１に形成した穴から搬送空間５５内に吸引し、煙が遊技施設内に流れ出すことを抑制することができ、搬送空間内５５のタバコのにおいも除去してこのにおいが遊技施設内に漏れ出ることを防止できる。
【００４４】
上記実施形態においては第２排気パイプ１５を床下空間１ａ内に配設しているが、これを天井裏空間内に配設しても良い。この場合には、第１排気パイプ１１が天井を貫通して天井裏に延びて第２排気パイプ１５と繋がれる。
【００４５】
以上説明した、本実施形態に係る排気ダクト装置およびこれを用いた遊技施設排気設備の効果を纏めると以下のとおりである。
【００４６】
ます、排気ダクト装置２０は、遊技機設置島構造ＳＳ１，ＳＳ２に立設保持された各パチンコ機ＰＭの上方に配設され、パチンコ機ＰＭの前面から前方に突出するダクト部２１の下面（斜面板部２１ｃ）が前方に向かって斜め上方に伸びるテーパ面から形成されるとともにこのテーパ面の前部に下方に突出して突起部２３が形成されて庇状となり、この突起部２３の背面側下部に吸気開口２５ａを有する吸気部２４が設けられているので、パチンコ機ＰＭの前の椅子ＣＨに座って遊技する遊技者が喫煙して発生する煙や、パチンコ機ＰＭから発生する熱で暖められた空気はパチンコ機ＰＭの前面側を上昇し、ダクト部２１および突起部２３により庇状となった部分に受け止められ、吸気開口２５ａ内に導入させることができる。このため、メイン排気空間２１ｄおよびサブ排気空間２３ａ内の空気を外部に排出する構成とすれば、上記タバコの煙および加熱空気を吸気開口２５ａからメインおよびサブ排気空間２１ｄ，２３ａ内に効率よく導入して排気することができる。
【００４７】
この排気ダクト装置２０は、遊技機設置島構造ＳＳ１，ＳＳ２における各パチンコ機ＰＭの上方に配設された状態において突起部２３の前面（前面板部２３ａ）が前方に露出して遊技者が視認可能であるが、その背面側は見えにくい構造であるので、この突起部の前面を遊技島構造と調和する形状および色彩とすることにより、排気ダクト装置２０を遊技機設置島構造に一体化した外観として美感を維持することが容易である。また、タバコの煙を吸気開口２５ａからメインおよびサブ排気空間２１ｄ，２３ａ内に導入する構成であるので、タバコの煙に含有されるヤニは吸気部に最も付着しやすく、吸気開口２５ａを清掃するだけでよいため、清掃が簡単である。
【００４８】
この排気ダクト装置２０において、突起部２３の背面側における吸気部２４より上側に蛍光灯２７を取り付けると、この蛍光灯２７は突起部２３により前面側から遮蔽されて遊技者からは見えない場所に位置し、その照明光は斜面板部２１ｃのテーパ面により反射されてパチンコ機ＰＭの前面に間接照明光が照射されることとなり、柔らかな照明光によりパチンコ機ＰＭの前面を照明することができる。パチンコ機ＰＭには液晶表示装置が設けられることが多いが、間接照明光の故に液晶表示画面に照射された照明光の反射光が遊技者の眼に入って画面が見にくくなるようなことが少なく、液晶表示画面が見やすくなる。また、パチンコ機ＰＭの前面を上昇するタバコの煙を間接照明により視認させて吸気効果を遊技者に視覚的に与えることができ、これにより喫煙者に対して迂回的に喫煙抑止効果を与えることができる。
【００４９】
なお、突起部２３の背面における吸気部２４と蛍光灯２７との間に反射板２８を設けると、この間接照明の効果を高めることができる。
【００５０】
上記排気ダクト装置２０において、吸気開口２５ａを部分的に塞ぐキャップ２９を吸気部２４に着脱可能とすることにより、各排気ダクト装置２０の吸気開口面積を適宜調整することができる。遊技機設置島にパチンコ機ＰＭを左右に列状に並んで立設保持した状態で排気ダクト装置２０も一列に繋がり、左右方向端部に位置する排気ダクト装置２０のメインおよびサブ排気空間２１ｄ，２３ａ内の空気を吸引排気する場合、吸引力は端部側に近い程大きくなるが、キャップ２９の大きさを調整することにより各吸気開口面積を調整して全ての排気ダクト装置２０における吸引力が等しくなるように設定すれば、全てのパチンコ機ＰＭに対して等しい吸引排気を行って効率の良い排気を行うようにすることができる。
【００５１】
なお、縦型遊技機がパチンコ機である場合に、吸気開口２５ａをスリット状とするとともにその開口幅（スリット幅）を遊技球の径より小さい構成とすれば、遊技球を吸気開口から内部に投入するような悪戯を防止することができる。
【００５２】
一方、上記の構成の本発明に係る遊技施設排気設備は、遊技機設置島構造において列状に並んで立設保持されたパチンコ機ＰＭのそれぞれの上方に上記構成の排気ダクト装置２０を隣り合って取り付けて隣り合うメインおよびサブ排気空間２１ｄ，２３ａ同士を連通させ、第１排気パイプ１１をメインおよびサブ排気空間２１ｄ，２３ａと連通させ、さらに第１排気パイプ１１を第２排気パイプ１５に連通させて構成されているので、排気ファン１６により第２排気パイプ１５内の空気を外部に排気させることにより、第１排気パイプ１１を介してメインおよびサブ排気空間２１ｄ，２３ａ内の空気を排気させることができる。
【００５３】
この結果、遊技者が喫煙して発生する煙や、パチンコ機ＰＭから発生する熱で暖められた空気がパチンコ機ＰＭの前面側を上昇すると、排気ダクト装置２０におけるダクト部２１および突起部２３により庇状となった部分に受け止められて吸気開口２５ａ内に効率よく吸引して導入され、メインおよびサブ排気空間２１ｄ，２３ａ、第１および第２排気パイプ１１，１５を通って外部に排気することができる。また、このように煙の発生源に近いところにおいて、且つ煙および熱の流れの途中においてこれを集めるようにして吸気開口２５ａを設けているため、少ない吸気量で効果的に煙および熱を外部に排出でき、空調効率の低下を抑えることができる。これにより空調設備を大型化する必要がなく、空調費を低減することができる。
【００５４】
第２排気パイプは遊技施設の床面空間１ａを延びて設けられるため、遊技施設内の美感を損ねることがない。さらに、第２排気パイプ１５を配設するための空間や、第２排気パイプ１５の内部空間を電気配線の配設空間として利用すれば、電気配線が遊技施設内に露出することがなく、空間の有効利用が図れるとともに施設内の美感を損ねることがない。
【００５５】
この遊技施設排気設備において、遊技機設置島構造の各パチンコ機ＰＭの前に設けられた灰皿の灰、吸い殻を落下させて左右方向端部に搬送して回収処理する吸い殻回収装置５０が設けられる場合に、この吸い殻回収装置５０の搬送空間５５を第１排気パイプ１１と連通することにより、搬送空間５５内の煙を吸引排気できるだけでなく、灰皿５１においたタバコからの煙、においを搬送空間内に吸引して排気することもできる。
【図面の簡単な説明】
【００５６】
【図１】本発明の実施形態に係る遊技施設排気設備を備えたパチンコ遊技施設における遊技機設置島を示す平面図である。
【図２】本発明の実施形態に係る遊技施設排気設備を備えたパチンコ遊技施設における遊技機設置島を示す斜視図である。
【図３】上記遊技機設置島の概略断面図である。
【図４】上記遊技機設置島に取り付けられる本発明に係る排気ダクト装置の断面図である。
【図５】この排気ダクト装置の斜視図である。
【図６】上記遊技機設置島の端部を示す正面図である。
【図７】上記遊技機設置島の端部の概略断面図である。
【符号の説明】
【００５７】
ＰＭ  パチンコ機                    ＳＳ１，ＳＳ２  遊技機設置島
ＣＨ  椅子
１  床                              １ａ  床下空間
２  巾木                            ３  腰板
４  天板                            ５  保持枠
６  ランプ板                        ６ａ  呼び出しランプ
７  球箱載置台                      ８  島幕板
９  カバー板                        １０  端部壁
１１  第１排気パイプ                １２  連結パイプ
１５  第２排気パイプ                １６  排気ファン
２０  排気ダクト装置                ２１  ダクト部
２１ａ  後面板部                    ２１ｂ  上面板部
２１ｃ  斜面板部                    ２１ｄ  メイン排気空間
２２  フレーム                      ２３  突起部
２３ａ  サブ排気空間                ２４  吸気部
２５ａ  吸気開口                    ２５ｂ，２５ｃ  折り曲げ部
２６  背面板部                      ２６ａ  凹部
２７  蛍光灯                        ２８  反射板
２９  キャップ                      ２９ａ  蓋部
２９ｂ  脚部                        ２９ｃ  係止突起
５０  吸い殻回収装置                ５１  灰皿
５２  搬送ベルトコンベア            ５２ａ  突起
５３  スプロケット                  ５４  吸い殻回収箱
５５  搬送筐体                      ５５ａ  搬送空間
【図１】
2007289473.tif 000003
【図２】
2007289473.tif 000004
【図３】
2007289473.tif 000005
【図４】
2007289473.tif 000006
【図５】
2007289473.tif 000007
【図６】
2007289473.tif 000008
【図７】
2007289473.tif 000009